【手続補正書】
【提出日】平成16年8月25日(2004.8.25)
【手続補正１】
【補正対象書類名】明細書
【補正対象項目名】特許請求の範囲
【補正方法】変更
【補正の内容】
【特許請求の範囲】
【請求項１】
上下枠及び左右の縦枠にて構成され、下枠上面を略フラット面に形成し、当該フラット面を戸車を介してスライド開閉する引き違い障子からなる屋外用のバリアフリーサッシ構造とし、
下枠に内障子用下枠凹部とその上に内障子用下枠凹部の幅より狭い内障子スライド溝及び外障子用下枠凹部とその上に外障子用下枠凹部の幅より狭い外障子スライド溝を形成し、
当該内、外障子用下枠凹部に内、外障子用凹部排水口を配設し、
内障子の下框屋外側に内障子スライド片を垂下し、障子を閉じたときこのスライド片と内障子用凹部の屋内側壁との間に障子横タイト材を介してシール面を形成すると共にこのスライド片と内障子用凹部屋外側壁との間に排水用間隙を形成する配置とし、
外障子の下框室内側に外障子スライド片を垂下し、障子を閉じたときこのスライド片と外障子用凹部の屋内側壁との間に横タイト材を介してシール面を形成すると共にこのスライド片と外障子用凹部の屋外側壁との間に排水用間隙を形成する配置とし
内障子スライド片と下枠凹部の屋内側壁との間に形成される内障子の気密ライン線上で内障子と外障子の召し合わせ部位置にほぼ対応させ、内障子下枠凹部に下枠凹部形状をふさぐように弾性体からなる下枠凹部止水ブロックを設けたことを特徴とする屋外用バリアフリー下枠フラットサッシの高水密装置。
【請求項２】
上下枠及び左右の縦枠にて構成され、下枠上面を略フラット面に形成し、当該フラット面を戸車を介してスライド開閉する引き違い障子からなる屋外用のバリアフリーサッシ構造とし、
下枠に内障子用下枠凹部とその上に内障子用下枠凹部の幅より狭い内障子スライド溝及び外障子用下枠凹部とその上に外障子用下枠凹部の幅より狭い外障子スライド溝を形成し、
当該内、外障子用下枠凹部に内、外障子用凹部排水口を配設し、
内障子の下框屋外側に内障子スライド片を垂下し、障子を閉じたときこのスライド片と内障子用凹部の屋内側壁との間に障子横タイト材を介してシール面を形成すると共にこのスライド片と内障子用凹部屋外側壁との間に排水用間隙を形成する配置とし、
外障子の下框室内側に外障子スライド片を垂下し、障子を閉じたときこのスライド片と外障子用凹部の屋内側壁との間に横タイト材を介してシール面を形成すると共にこのスライド片と外障子用凹部の屋外側壁との間に排水用間隙を形成する配置とし
障子を閉じたとき内、外障子の召合框に挟まれる下枠上面にフラット面排水口を設け、
内又は外障子召合框の側部に召合框止水ブロックを取り付け、当該召合框止水ブロックに設けた弾性材を下枠のフラット面に摺接させたことを特徴とする屋外用バリアフリー下枠フラットサッシの高水密装置。
【請求項３】
上下枠及び左右の縦枠にて構成され、下枠上面を略フラット面に形成し、当該フラット面を戸車を介してスライド開閉する引き違い障子からなる屋外用のバリアフリーサッシ構造とし、
下枠に内障子用下枠凹部とその上に内障子用下枠凹部の幅より狭い内障子スライド溝及び外障子用下枠凹部とその上に外障子用下枠凹部の幅より狭い外障子スライド溝を形成し、
当該内、外障子用下枠凹部に内、外障子用凹部排水口を配設し、
内障子の下框屋外側に内障子スライド片を垂下し、障子を閉じたときこのスライド片と内障子用凹部の屋内側壁との間に障子横タイト材を介してシール面を形成すると共にこのスライド片と内障子用凹部屋外側壁との間に排水用間隙を形成する配置とし、
外障子の下框室内側に外障子スライド片を垂下し、障子を閉じたときこのスライド片と外障子用凹部の屋内側壁との間に横タイト材を介してシール面を形成すると共にこのスライド片と外障子用凹部の屋外側壁との間に排水用間隙を形成する配置とし
障子を閉じたとき内、外障子の召合框に挟まれる下枠上面にフラット面排水口を設け、この排水口に近接させて召合框止水ブロックを下枠上面に取り付け、当該召合框止水ブロックに設けた弾性材を外障子召合框室内側側壁、内障子召合框屋外側側壁と摺接させてあることを特徴とする屋外用バリアフリー下枠フラットサッシの高水密装置。
【手続補正２】
【補正対象書類名】明細書
【補正対象項目名】０００６
【補正方法】変更
【補正の内容】
【０００６】
請求項１記載の発明は、上下枠及び左右の縦枠にて構成され、下枠上面を略フラット面に形成し、当該フラット面を戸車を介してスライド開閉する引き違い障子からなる屋外用のバリアフリーサッシ構造とし、下枠に内障子用下枠凹部とその上に内障子用下枠凹部の幅より狭い内障子スライド溝及び外障子用下枠凹部とその上に外障子用下枠凹部の幅より狭い外障子スライド溝を形成し、当該内、外障子用下枠凹部に内、外障子用凹部排水口を配設し、内障子の下框屋外側に内障子スライド片を垂下し、障子を閉じたときこのスライド片と内障子用凹部の屋内側壁との間に障子横タイト材を介してシール面を形成すると共にこのスライド片と内障子用凹部屋外側壁との間に排水用間隙を形成する配置とし、外障子の下框室内側に外障子スライド片を垂下し、障子を閉じたときこのスライド片と外障子用凹部の屋内側壁との間に横タイト材を介してシール面を形成すると共にこのスライド片と外障子用凹部の屋外側壁との間に排水用間隙を形成する配置とし内障子スライド片と下枠凹部の屋内側壁との間に形成される内障子の気密ライン線上で内障子と外障子の召し合わせ部位置にほぼ対応させ、内障子下枠凹部に下枠凹部形状をふさぐように弾性体からなる下枠凹部止水ブロックを設けたことを特徴とする。
【手続補正３】
【補正対象書類名】明細書
【補正対象項目名】０００７
【補正方法】変更
【補正の内容】
【０００７】
請求項２記載の発明は、上下枠及び左右の縦枠にて構成され、下枠上面を略フラット面に形成し、当該フラット面を戸車を介してスライド開閉する引き違い障子からなる屋外用のバリアフリーサッシ構造とし、下枠に内障子用下枠凹部とその上に内障子用下枠凹部の幅より狭い内障子スライド溝及び外障子用下枠凹部とその上に外障子用下枠凹部の幅より狭い外障子スライド溝を形成し、当該内、外障子用下枠凹部に内、外障子用凹部排水口を配設し、内障子の下框屋外側に内障子スライド片を垂下し、障子を閉じたときこのスライド片と内障子用凹部の屋内側壁との間に障子横タイト材を介してシール面を形成すると共にこのスライド片と内障子用凹部屋外側壁との間に排水用間隙を形成する配置とし、外障子の下框室内側に外障子スライド片を垂下し、障子を閉じたときこのスライド片と外障子用凹部の屋内側壁との間に横タイト材を介してシール面を形成すると共にこのスライド片と外障子用凹部の屋外側壁との間に排水用間隙を形成する配置とし障子を閉じたとき内、外障子の召合框に挟まれる下枠上面にフラット面排水口を設け、
内又は外障子召合框の側部に召合框止水ブロックを取り付け、当該召合框止水ブロックに設けた弾性材を下枠のフラット面に摺接させたことを特徴とする。
ここで、召合框止水ブロックは、請求項３に記載の発明のように、前記フラット面排水口に近接させて召合框止水ブロックを下枠上面に取り付け、当該召合框止水ブロックに設けた弾性材を外障子召合框室内側側壁、内障子召合框屋外側側壁と摺接させてあってもよい。
【手続補正４】
【補正対象書類名】明細書
【補正対象項目名】００２０
【補正方法】変更
【補正の内容】
【００２０】
フラット面排水口に対応する内障子召合框の側部には図１３に示すように、召合框止水ブロック７０がビス等の召合框止水ブロック係止部材７３にて取り付けられている。召合框止水ブロックには図９に示すように弾性材からなるヒレ状のウオーターバリア７１とヒレ状のウインドバリア７２が設けれていて下枠上面及び外障子室内側側面に摺接するように配設されている。その上面図（下観図）を図１１に、正面図（外観図）を図１２に、側面図を図１０にそれぞれ示す。ウオーターバリアにて風圧を伴う雨水の流れが抑えられ、ウインドバリアにて気密性が確保されているので空気の室内への浸入が遮断され、その間に設けられたフラット面排水口に雨水が流し込まれる。ここで、下枠のフラット面排水口１５は外障子用下枠凹部排水口１７ａ及び下枠屋外排水口１８を介して外気と連通している。また、フラット面排水口の上部は、図７に示すように外障子召合框５３及び内障子召合框６３とこれらに設けた外障子突き合わせ片５３ａ、内障子突き合わせ片６３ａ（煙返し部）、召合框タイト材６７で形成する空間部に連通している。
なお、召合框止水ブロックは図１３に示すように下枠側に設けてもよく、側面図を図１４に、上面図を図１５に、正面図を図１６にそれぞれ示す。すなわち、障子を閉じたとき内障子６０、外障子５０の召合框６３，５３に挟まれる狭い下枠上面１１にフラット面排水口１５を設け、この排水口に近接させて召合框止水ブロック７０を前記の下枠上面１１に取り付け、当該召合框止水ブロック７０に設けた弾性材（ウオーターバリア７１及びウインドバリア７２）を外障子召合框室内側側壁、内障子召合框屋外側側壁と摺接させてある。